(57)【特許請求の範囲】
【請求項１】
ソースアクセスポイントにおいて、少なくとも１つのアクセス端末のハンドオーバ中に無線リンク障害が発生したことを示すメッセージを受信することと、
前記ソースアクセスポイントにおいて、モビリティパフォーマンスを調整するための少なくとも１つのモビリティパラメータを適応させるために、前記メッセージを利用することと、
を含み、
前記少なくとも１つのモビリティパラメータは、ターゲット測定を行うかどうか、ターゲット測定を報告するかどうか、またはターゲット測定をいつ報告するかのうちの少なくとも１つを、アクセス端末がどのように決定すべきかを指定する測定報告パラメータを含む、通信の方法。
【請求項２】
前記メッセージは、前記ハンドオーバについてのターゲットアクセスポイントから受信される、請求項１の方法。
【請求項３】
前記メッセージは、ネットワーク管理ノードから受信される、請求項１の方法。
【請求項４】
前記ネットワーク管理ノードは、セルラーネットワークの運用及び保守エンティティを備える、請求項３の方法。
【請求項５】
前記無線リンク障害と他の無線リンク障害の記録を維持することをさらに含み、
前記少なくとも１つのモビリティパラメータの適応は、前記記録に基づく、
請求項１の方法。
【請求項６】
前記メッセージは、少なくとも１つの他のアクセスポイントのハンドオーバに関する統計情報を含み、
前記少なくとも１つのモビリティパラメータの適応は前記統計情報に基づく、
請求項１の方法。
【請求項７】
前記メッセージは、前記ハンドオーバのためのターゲットアクセスポイントが前記ハンドオーバのために準備されたかどうかを示す、請求項１の方法。
【請求項８】
前記メッセージは、前記ハンドオーバのために準備されなかったターゲットアクセスポイントからのコンテキストフェッチを含む、請求項１の方法。
【請求項９】
前記少なくとも１つのモビリティパラメータは、さらに、ハンドオーバを行うかどうか、ハンドオーバをいつ行うか、またはターゲットアクセスポイントのうちの少なくとも１つを決定するために、前記ソースアクセスポイントが使用するハンドオーバパラメータを含む、請求項１の方法。
【請求項１０】
ソースアクセスポイントにおいて、少なくとも１つのアクセス端末のハンドオーバ中に無線リンク障害が発生したことを示すメッセージを受信するように構成された通信コントローラと、
モビリティパフォーマンスを調整するために、前記メッセージに基づき少なくとも１つのモビリティパラメータを適応させるように構成されたモビリティコントローラと、
を備え、
前記少なくとも１つのモビリティパラメータは、ターゲット測定を行うかどうか、ターゲット測定を報告するかどうか、またはターゲット測定をいつ報告するかのうちの少なくとも１つを、アクセス端末がどのように決定すべきかを指定する測定報告パラメータを含む、通信のための装置。
【請求項１１】
前記メッセージは、前記ハンドオーバについてのターゲットアクセスポイントから受信される、請求項１０の装置。
【請求項１２】
前記メッセージは、ネットワーク管理ノードから受信される、請求項１０の装置。
【請求項１３】
前記モビリティコントローラは、前記無線リンク障害と他の無線リンク障害の記録を維持するようにさらに構成され、
前記少なくとも１つのモビリティパラメータの適応は、前記記録に基づく、
請求項１０の装置。
【請求項１４】
前記メッセージは、少なくとも１つの他のアクセスポイントのハンドオーバに関する統計情報を含み、
前記少なくとも１つのモビリティパラメータの適応は前記統計情報に基づく、
請求項１０の装置。
【請求項１５】
ソースアクセスポイントにおいて、少なくとも１つのアクセス端末のハンドオーバ中に無線リンク障害が発生したことを示すメッセージを受信する手段と、
前記ソースアクセスポイントにおいて、モビリティパフォーマンスを調整するための少なくとも１つのモビリティパラメータを適応させるために、前記メッセージを利用する手段と、
を備え、
前記少なくとも１つのモビリティパラメータは、ターゲット測定を行うかどうか、ターゲット測定を報告するかどうか、またはターゲット測定をいつ報告するかのうちの少なくとも１つを、アクセス端末がどのように決定すべきかを指定する測定報告パラメータを含む、通信のための装置。
【請求項１６】
前記メッセージは、前記ハンドオーバについてのターゲットアクセスポイントから受信される、請求項１５の装置。
【請求項１７】
前記メッセージは、ネットワーク管理ノードから受信される、請求項１５の装置。
【請求項１８】
前記無線リンク障害と他の無線リンク障害の記録を維持する手段をさらに備え、
前記少なくとも１つのモビリティパラメータの適応は前記記録に基づく、
請求項１５の装置。
【請求項１９】
前記メッセージは、少なくとも１つの他のアクセスポイントのハンドオーバに関する統計情報を含み、
前記少なくとも１つのモビリティパラメータの適応は前記統計情報に基づく、
請求項１５の装置。
【請求項２０】
コンピュータに、
ソースアクセスポイントにおいて、少なくとも１つのアクセス端末のハンドオーバ中に無線リンク障害が発生したことを示すメッセージを受信させ、
前記ソースアクセスポイントにおいて、モビリティパフォーマンスを調整するための少なくとも１つのモビリティパラメータを適応させるために、前記メッセージを利用させる、
コードを備え、
前記少なくとも１つのモビリティパラメータは、ターゲット測定を行うかどうか、ターゲット測定を報告するかどうか、またはターゲット測定をいつ報告するかのうちの少なくとも１つを、アクセス端末がどのように決定すべきかを指定する測定報告パラメータを含む、コンピュータプログラム。
【請求項２１】
前記メッセージは、前記ハンドオーバについてのターゲットアクセスポイントから受信される、請求項２０のコンピュータプログラム。
【請求項２２】
前記メッセージは、ネットワーク管理ノードから受信される、請求項２０のコンピュータプログラム。
【請求項２３】
前記コンピュータプログラムは、さらに、前記コンピュータに、前記無線リンク障害と他の無線リンク障害の記録を維持させるコードを備え、
前記少なくとも１つのモビリティパラメータの適応は前記記録に基づく、
請求項２０のコンピュータプログラム。
【請求項２４】
前記メッセージは、少なくとも１つの他のアクセスポイントにおけるハンドオーバに関する統計情報を含み、
前記少なくとも１つのモビリティパラメータの適応は前記統計情報に基づく、
請求項２０のコンピュータプログラム。
【請求項２５】
ターゲットアクセスポイントから、少なくとも１つのアクセス端末の前記ターゲットアクセスポイントへのハンドオーバ中に無線リンク障害が発生したことを示す第１のメッセージを受信することと、
前記ターゲットアクセスポイントからの前記第１のメッセージの受信に基づき、ソースアクセスポイントへ第２のメッセージを送信することと、前記第２のメッセージは、モビリティパフォーマンスを調整するための少なくとも１つのモビリティパラメータを適応させるために、前記ソースアクセスポイントによって使用される、
を含み、
前記少なくとも１つのモビリティパラメータは、ターゲット測定を行うかどうか、ターゲット測定を報告するかどうか、またはターゲット測定をいつ報告するかのうちの少なくとも１つを、アクセス端末がどのように決定すべきかを指定する測定報告パラメータを含む、通信の方法。
【請求項２６】
前記第２のメッセージは、前記少なくとも１つのアクセス端末の前記ターゲットアクセスポイントへの前記ハンドオーバ中に前記無線リンク障害が発生したことを示す、請求項２５の方法。
【請求項２７】
前記無線リンク障害と他の無線リンク障害とに関する統計情報を維持することをさらに含み、
前記第２のメッセージは前記統計情報を含む、
請求項２５の方法。
【請求項２８】
前記第１のメッセージに基づき少なくとも１つのモビリティパラメータを適応させること、をさらに含み、
前記第２のメッセージは、前記少なくとも１つのモビリティパラメータを含む、
請求項２５の方法。
【請求項２９】
前記少なくとも１つのモビリティパラメータは、さらに、ハンドオーバを行うかどうか、ハンドオーバをいつ行うか、または第２のターゲットアクセスポイントかのうちの少なくとも１つを決定するために、前記ソースアクセスポイントが使用するハンドオーバパラメータを含む、請求項２８の方法。
【請求項３０】
前記少なくとも１つのモビリティパラメータは、前記ソースアクセスポイントについてのハンドオーバパフォーマンスターゲットを含む、請求項２８の方法。
【請求項３１】
前記第１のメッセージは、前記ターゲットアクセスポイントが前記ハンドオーバのために準備されたかどうかを示す、請求項２５の方法。
【請求項３２】
前記第１のメッセージは、前記ターゲットアクセスポイントにおけるハンドオーバに関する統計情報を含む、請求項２５の方法。
【請求項３３】
前記統計情報に基づき少なくとも1つのモビリティパラメ−タを適応させること、をさらに含み、
前記第２のメッセージは前記少なくとも１つのモビリティパラメータを含む、
請求項３２の方法。
【請求項３４】
ターゲットアクセスポイントから、少なくとも１つのアクセス端末の前記ターゲットアクセスポイントへのハンドオーバ中に無線リンク障害が発生したことを示す第１のメッセージを受信する通信コントローラと、
前記ターゲットアクセスポイントからの前記第１のメッセージの受信に基づき、ソースアクセスポイントへ第２のメッセージを送信するモビィティコントローラと、前記第２のメッセージは、モビリティパフォーマンスを調整するための少なくとも１つのモビリティパラメータを適応させるために、前記ソースアクセスポイントによって使用される、
を備え、
前記少なくとも１つのモビリティパラメータは、ターゲット測定を行うかどうか、ターゲット測定を報告するかどうか、またはターゲット測定をいつ報告するかのうちの少なくとも１つを、アクセス端末がどのように決定すべきかを指定する測定報告パラメータを含む、通信のための装置。
【請求項３５】
前記第２のメッセージは、前記少なくとも１つのアクセス端末の前記ターゲットアクセスポイントへの前記ハンドオーバ中に前記無線リンク障害が発生したことを示す、請求項３４の装置。
【請求項３６】
前記モビィティコントローラは、さらに、前記無線リンク障害と他の無線リンク障害に関する統計情報を維持し、
前記第２のメッセージは、前記統計情報を含む、
請求項３４の装置。
【請求項３７】
前記モビィティコントローラは、さらに、前記第１のメッセージに基づき、少なくとも１つのモビリティパラメータを適応させ、
前記第２のメッセージは、前記少なくとも１つのモビリティパラメータを含む、
請求項３４の装置。
【請求項３８】
ターゲットアクセスポイントから、少なくとも１つのアクセス端末の前記ターゲットアクセスポイントへのハンドオーバ中に無線リンク障害が発生したことを示す第１のメッセージを受信する手段と、
前記ターゲットアクセスポイントからの前記第１のメッセージの受信に基づき、ソースアクセスポイントへ第２のメッセージを送信する手段と、前記第２のメッセージは、モビリティパフォーマンスを調整するための少なくとも１つのモビリティパラメータを適応させるために、前記ソースアクセスポイントによって使用される、
を備え、
前記少なくとも１つのモビリティパラメータは、ターゲット測定を行うかどうか、ターゲット測定を報告するかどうか、またはターゲット測定をいつ報告するかのうちの少なくとも１つを、アクセス端末がどのように決定すべきかを指定する測定報告パラメータを含む、通信のための装置。
【請求項３９】
前記第２のメッセージは、前記少なくとも１つのアクセス端末の前記ターゲットアクセスポイントへの前記ハンドオーバ中に前記無線リンク障害が発生したことを示す、請求項３８の装置。
【請求項４０】
前記無線リンク障害と他の無線リンク障害とに関する統計情報を維持する手段をさらに備え、
前記第２のメッセージは前記統計情報を含む、
請求項３８の装置。
【請求項４１】
前記第１のメッセージに基づき少なくとも１つのモビリティパラメータを適応させる手段をさらに含み、
前記第２のメッセージは、前記少なくとも１つのモビリティパラメータを含む、
請求項３８の装置。
【請求項４２】
コンピュータに、
少なくとも１つのアクセス端末のターゲットアクセスポイントへのハンドオーバ中に無線リンク障害が発生したことを示す、前記ターゲットアクセスポイントからの第１のメッセージを受信させ、
前記ターゲットアクセスポイントからの前記第１のメッセージの受信に基づき、ソースアクセスポイントへ第２のメッセージを送信させる、
コードを備え、
前記第２のメッセージは、モビリティパフォーマンスを調整するための少なくとも１つのモビリティパラメータを適応させるために、前記ソースアクセスポイントによって使用され、
前記少なくとも１つのモビリティパラメータは、ターゲット測定を行うかどうか、ターゲット測定を報告するかどうか、またはターゲット測定をいつ報告するかのうちの少なくとも１つを、アクセス端末がどのように決定すべきかを指定する測定報告パラメータを含む、コンピュータプログラム。
【請求項４３】
前記第２のメッセージは、前記少なくとも１つのアクセス端末の前記ターゲットアクセスポイントへの前記ハンドオーバ中に前記無線リンク障害が発生したことを示す、請求項４２のコンピュータプログラム。
【請求項４４】
前記コンピュータプログラムは、さらに、前記コンピュータに、前記無線リンク障害と他の無線リンク障害とに関する統計情報を維持させるコードを備え、
前記第２のメッセージは前記統計情報を含む、
請求項４２のコンピュータプログラム。
【請求項４５】
前記コンピュータプログラムは、さらに、前記コンピュータに、前記第１のメッセージに基づき少なくとも１つのモビリティパラメータを適応させるコードを備え、
前記第２のメッセージは、前記少なくとも１つのモビリティパラメータを含む、
請求項４２のコンピュータプログラム。
【発明の詳細な説明】
【優先権の主張】
【０００１】
優先権の主張
本出願は、２００８年１１月１７日に出願され、弁理士整理番号第０９０５２１Ｐ１号を付与された、同一出願人が所有する米国特許仮出願第６１／１１５，５２２号の利益および優先権を主張し、その開示は参照により本明細書に組み込まれる。
【技術分野】
【０００２】
本出願は、一般にワイヤレス通信に関し、より詳細には、これに限定はしないが、ワイヤレスモビリティを改善することに関する。
【背景技術】
【０００３】
イントロダクション
ワイヤレス通信ネットワークは、画定された地理的エリア内のユーザに様々なタイプのサービス（たとえば、ボイス、データ、マルチメディアサービスなど）を提供するために、その地理的エリアにわたって展開されている。典型的な実装形態では、ネットワークによってサービスされる地理的エリア内で動作しているアクセス端末（たとえば、セルフォン）にワイヤレス接続性を与えるために、（たとえば、様々なセルまたはセクタに対応する）アクセスポイントがネットワーク全体にわたって分散される。一般に、所与の時点において、アクセス端末は、これらのアクセスポイントのうちの所与の１つによってサービスされることになる。アクセス端末は、この地理的エリア全体にわたってローミングするにつれて、そのサービングアクセスポイントから離れ、別のアクセスポイントに近づくことがある。この場合、アクセス端末のモビリティを維持するために、他のアクセスポイントによってサービスされるように、アクセス端末をそのサービングアクセスポイントからハンドオーバすることができる。
【０００４】
アクセス端末をどのようにハンドオーバすることができるかの例について以下で説明する。アクセス端末は、無線周波数（「ＲＦ」）測定を定期的に実行し、ネイバーアクセスポイント（たとえば、いわゆるターゲットアクセスポイント）から受信されている信号が、現在のサービングアクセスポイントから受信されている信号よりも、あるマージンだけ強いと決定する。その結果、アクセス端末は、この情報とともに測定報告をネットワーク（たとえば、サービングアクセスポイント）に送信する。サービングアクセスポイント（すなわち、ハンドオーバのためのソースアクセスポイント）は、次いで、ターゲットアクセスポイント上のアクセス端末用のリソースを交渉するために、ターゲットアクセスポイントとのバックホール通信を実行する。ここで、サービングアクセスポイントは、アクセス端末のコンテキスト情報をターゲットアクセスポイントに送信することができる。さらに、サービングアクセスポイントは、ターゲットアクセスポイント上のアクセス端末に割り当てられたリソースを識別するハンドオーバコマンドをアクセス端末に送信する。アクセス端末は、次いで、これらのリソースを使用してターゲットアクセスポイントに接続することができる。
【０００５】
いくつかの状況では、アクセス端末とそのサービングアクセスポイントとの間の無線状態は、アクセス端末がサービングアクセスポイントとの無線リンク障害を経験する程度まで劣化することがある。そのような場合、アクセス端末は、無線リンク障害を宣言した後、ターゲットアクセスポイントにアクセスしようと試みることができる。このアクセス中に、アクセス端末は、それ自体の識別情報と前のサービングアクセスポイントの識別情報とをターゲットアクセスポイントに与える。（たとえば、上記で説明したように）ターゲットアクセスポイントがサービングアクセスポイントによってハンドオーバのために準備された場合、ターゲットアクセス端末はアクセス端末のコンテキスト情報および他のデータを有し得るので、ターゲットアクセスポイントは、アクセス端末にサービスすることが可能になり得る。一方、ターゲットアクセスポイントが準備されなかった場合、ターゲットアクセスポイントはアクセス端末を拒否し得、その後、アクセス端末はアイドルモードに進み得る。代替的に、ターゲットアクセスポイントは、順方向ハンドオーバプロシージャを実行し、それにより前のサービングアクセスポイントからアクセス端末のコンテキスト情報をフェッチすることができる。
【発明の概要】
【０００６】
本開示の例示的な態様の概要について以下で説明する。本明細書の説明では、態様という用語への言及は、本開示の１つまたは複数の態様を指すことがある。
【０００７】
本開示は、いくつかの態様では、無線リンク障害（以下、ＲＬＦ）を報告することに関する。たとえば、モビリティパフォーマンスを改善するために、ソースアクセスポイント（たとえば、ソースセル）が、（たとえば、モビリティパラメータを調整することによって）そのビヘイビアを調整することができるように、ＲＬＦイベントを追跡することが有益であり得る。しかしながら、いくつかの状況では、サービングアクセスポイントは、ＲＬＦが発生したことを単独で判断することができないことがある。
【０００８】
本開示は、いくつかの態様では、アクセス端末の接続状態モビリティ中にＲＬＦが発生したかどうかを決定し、そうであれば（ＲＬＦが発生したと決定した場合には）、ＲＬＦを別のノードに報告するノードに関する。たとえば、ターゲットアクセスポイント（たとえば、ターゲットセル）は、そのターゲットアクセスポイントへのアクセス端末のハンドオーバ中にＲＬＦが発生したことを判断することができる。
【０００９】
いくつかの実装形態では、ターゲットアクセスポイントは、前にアクセス端末にサービスしていたアクセスポイント（すなわち、ハンドオーバのためのソースアクセスポイント）にＲＬＦ報告メッセージを送信することができる。このメッセージを受信すると、サービングアクセスポイントは、メッセージ中に含まれるＲＬＦ情報と、オプションで、サービングアクセスポイントに報告された他のＲＬＦ情報とを使用して、ハンドオーバパフォーマンスを追跡し、サービスされるアクセス端末からの測定報告の不在により失敗したハンドオーバを検出し、モビリティパラメータを適応させることができる。たとえば、サービングアクセスポイントは、このＲＬＦ情報（たとえば、特定のＲＬＦイベント、またはターゲットが準備されなかったいくつかのＲＬＦイベントに関する情報）に基づいて測定報告パラメータおよびハンドオーバパラメータを調整することができる。したがって、ネットワークにおけるモビリティパフォーマンスを改善するために、ＲＬＦ報告を有利に採用することができる。
【００１０】
他の実装形態では、ターゲットアクセスポイントは、ＲＬＦ報告を何らかの他のノード（たとえば、運用および保守エンティティなどのネットワークノード）に送信することができる。このメッセージに応答して、他のノードは、場合によってはＲＬＦ報告メッセージをサービングアクセスポイントに送信することができる。代替的に、他のノードは、ＲＬＦ情報（および、オプションで、他の報告されたＲＬＦ情報）に基づいて、それが維持するモビリティパラメータを調整することができる。この場合、他のノードは、調整されたモビリティパラメータに関係する情報をサービングアクセスポイントに送信することができる。
【００１１】
本開示のこれらおよび他の例示的な態様について、以下の発明を実施するための形態および添付の特許請求の範囲、ならびに添付の図面において説明する。
【図面の簡単な説明】
【００１２】
【図１】ＲＬＦ報告をサポートするように適応された通信システムのいくつかの例示的な態様の簡略ブロック図。
【図２】ＲＬＦを報告することに関連してノードによって実行され得る動作のいくつかの例示的な態様のフローチャート。
【図３】報告されたＲＬＦに基づいてモビリティパラメータを適応させることに関連してノードによって実行され得る動作のいくつかの例示的な態様のフローチャート。
【図４】受信したＲＬＦ報告の結果としてメッセージを送信することに関連してノードによって実行され得る動作のいくつかの例示的な態様のフローチャート。
【図５】通信ノードにおいて採用できる構成要素のいくつかの例示的な態様の簡略ブロック図。
【図６】通信構成要素のいくつかの例示的な態様の簡略ブロック図。
【図７】本明細書で教示する、モビリティの改善を可能にするように構成された装置のいくつかの例示的な態様の簡略ブロック図。
【図８】本明細書で教示する、モビリティの改善を可能にするように構成された装置のいくつかの例示的な態様の簡略ブロック図。
【図９】本明細書で教示する、モビリティの改善を可能にするように構成された装置のいくつかの例示的な態様の簡略ブロック図。
【発明を実施するための形態】
【００１３】
慣例により、図面中に示された様々な特徴は一定の縮尺で描かれていないことがある。したがって、様々な特徴の寸法は、わかりやすいように任意に拡大または縮小されることがある。さらに、図面のいくつかは、わかりやすいように簡略化されることがある。したがって、図面は、所与の装置（たとえば、デバイス）または方法の構成要素のすべてを示しているわけではない。最後に、明細書および図の全体にわたって同じ特徴を示すために同じ参照番号が使用されることがある。
【００１４】
本開示の様々な態様について以下で説明する。本明細書の教示は多種多様な形態で実施でき、本明細書で開示されている特定の構造、機能、またはその両方は代表的なものにすぎないことは明らかであろう。本明細書の教示に基づいて、本明細書で開示される態様は他の態様とは無関係に実装できること、およびこれらの態様のうちの２つ以上を様々な方法で組み合わせることができることを、当業者なら諒解されたい。たとえば、本明細書に記載の態様をいくつ使用しても、装置を実装し、または方法を実施することができる。さらに、本明細書に記載の態様のうちの１つまたは複数に加えて、あるいはそれら以外の他の構造、機能、または構造および機能を使用して、そのような装置を実装し、またはそのような方法を実施することができる。さらに、態様は、請求項の少なくとも１つの要素を備えることができる。
【００１５】
図１に、例示的な通信システム１００（たとえば、通信ネットワークの一部）のいくつかのノードを示す。説明のために、本開示の様々な態様について、互いに通信する１つまたは複数のアクセス端末、アクセスポイント、およびネットワークノードの文脈で説明する。ただし、本明細書の教示は、他のタイプの装置、または他の用語を使用して参照される他の同様の装置に適用可能であることを諒解されたい。たとえば、様々な実装形態では、アクセスポイントを基地局、ｅノードＢ、セル、またはセクタと呼ぶこと、あるいはそのようなものとして実装することができ、アクセス端末をユーザ機器または移動局などと呼ぶこと、あるいはそのようなものとして実装することができる。
【００１６】
システム１００中のアクセスポイントは、１つまたは複数のサービス（たとえば、ネットワーク接続性）を、システム１００のカバレージエリア内に設置されるか、またはシステム１００のカバレージエリア全体にわたってローミングする１つまたは複数のワイヤレス端末（たとえば、アクセス端末１０２）に提供する。たとえば、様々な時点で、アクセス端末１０２は、アクセスポイント１０４、アクセスポイント１０６、または何らかの他のアクセスポイント（図１に図示せず）に接続することができる。アクセスポイント１０４および１０６の各々は、ワイドエリアネットワーク接続性を可能にするために、（便宜上、ネットワークノード１０８および１１０によって表される）１つまたは複数のネットワークノードと通信することができる。これらのネットワークノードは、たとえば、１つまたは複数の無線および／またはコアネットワークエンティティなどの様々な形態をとることができる。したがって、様々な実装形態では、ネットワークノードは、（たとえば、運用（operations）および保守(maintenance)（Ｏ＆Ｍ）エンティティを介した）ネットワーク管理、呼制御、セッション管理、モビリティ管理、ゲートウェイ機能、インタワーキング機能、または何らかの他の好適なネットワーク機能のうちの少なくとも１つなどの機能を表すことができる。
【００１７】
図２〜図４に関連して以下でより詳細に説明するように、システム１００中のアクセスポイント、および、オプションで、ネットワークノードは、ＲＬＦ報告と、ＲＬＦ報告に基づいてモビリティパラメータを適応させることとを可能にするための機能を含むことができる。この目的で、システム１００中のアクセスポイントは、ＲＬＦ検出および報告機能１１２と、オプションで、ＲＬＦベースのパラメータ適応機能１１４とを含むことができる。たとえば、アクセスポイント１０４（たとえば、サービング／ソースアクセスポイント）におけるＲＬＦの結果として、アクセス端末１０２がアクセスポイント１０６（たとえば、ターゲットアクセスポイント）に到達したことを判断すると、アクセスポイント１０６は、破線１１６で表されるように、ＲＬＦ報告をアクセスポイント１０４に送信することができる。この例では、ＲＬＦ報告は、（バックホールを表し得るネットワークノード１０８で表される）１つまたは複数のネットワークノードを介して送信される。この報告と、オプションで他のＲＬＦ報告とに基づいて、アクセスポイント１０４は１つまたは複数のモビリティパラメータを適応させることができる。
【００１８】
いくつかの実装形態では、システム１００中のネットワークノードはＲＬＦベースのパラメータ適応機能１１８を含むことができる。たとえば、アクセスポイント１０６は、破線１２０で表されるように、ＲＬＦ報告をネットワークノード１１０に送信することができる。いくつかの実装形態では、ネットワークノード１１０は、（たとえば、破線１２２で表されるように）ネットワークノード１１０によって収集されたＲＬＦ報告またはＲＬＦ情報をアクセスポイント１０４にフォワーディングすることができる。しかしながら、他の実装形態では、ネットワークノード１１０は、１つまたは複数のモビリティパラメータを適応させ、（たとえば、破線１２２で表されるように）モビリティパラメータ情報をアクセスポイント１０４に送信することができる。これらの実装形態では、アクセスポイント１０２は、与えられたモビリティパラメータ情報を使用するにすぎず、したがって、ブロック１１４の機能を組み込んでいないことがある。
【００１９】
最初に図２を参照すると、このフローチャートには、ＲＬＦを報告することに関連して実行され得るいくつかの例示的な動作が記載されている。便宜上、図２の動作（または本明細書で説明または教示する他の動作）については、特定の構成要素（たとえば、システム１００の構成要素）によって実行されるものとして説明する。ただし、これらの動作は、他のタイプの構成要素によって実行でき、異なる個数の構成要素を使用して実行できることを諒解されたい。また、本明細書で説明する動作の１つまたは複数は、所与の実装形態では採用されない場合があることを諒解されたい。
【００２０】
ブロック２０２で表されるように、ある時点において、アクセス端末はアクセスポイントに接続する。したがって、この接続状態では、アクセスポイントは、シグナリング状態および他の状態（たとえば、ユーザ選択）が許す限り、アクセス端末のサービングアクセスポイントであることができる。
【００２１】
ブロック２０４で表されるように、ある時点において、アクセス端末とサービングアクセスポイントとの間の無線状態は、アクセス端末が接続状態モビリティ中にＲＬＦを経験する程度まで劣化する。このＲＬＦイベントの前にハンドオーバ動作が行われていることもあり、行われていないこともある。たとえば、ネットワークは、ＲＬＦイベントの前に（たとえば、アクセス端末からの測定報告に基づいて）アクセス端末をターゲットアクセスポイントにハンドオフすべきであると判断していないことがある。したがって、サービングアクセスポイントはハンドオーバプロシージャさえ開始していないことがある。代替的に、ハンドオーバ動作は開始したが、ＲＬＦイベントの時間に完了していないことがある。したがって、いずれの場合も、ＲＬＦが発生したとき、ターゲットアクセスポイントはハンドオーバのために準備されていないことになる。便宜のために、以下の説明では、（ハンドオーバプロシージャが開始されていない場合でも）ターゲットアクセスポイントを単に「ターゲット」と呼び、ＲＬＦの直前にアクセス端末にサービスしていたアクセスポイントを「ソース」と呼ぶことがある。
【００２２】
ブロック２０６で表されるように、ＲＬＦに応答して、アクセス端末は、無線リンクを再確立するためにターゲットにアクセスしようと試みる。たとえば、アクセス端末は、現在、アクセス端末の観点から最も高い受信信号強度を有するネイバーアクセスポイントにアクセスしようと試みることができる。ここで、アクセス端末は、接続再確立を要求するメッセージ（たとえば、無線リソース制御（ＲＲＣ）接続再確立要求）をターゲットに送信することができる。アクセスのこの試みに関連して、アクセス端末は、ターゲットにアクセス端末の識別子とソースの識別子とを与えることができる。
【００２３】
ターゲットは、この時点でアクセス端末を受け入れるかまたは拒否することができる。たとえば、ターゲットがソースによってアクセス端末のハンドオーバのために準備されている場合、ターゲットはアクセス端末を受け入れることができる（たとえば、ターゲットにおいて無線リンクが再確立される）。いくつかの実装形態では、ターゲットがハンドオーバのために準備されていない場合、ターゲットはアクセス端末を単に拒否することができる。他の実装形態では、ターゲットは順方向ハンドオーバを実行することができ、それにより、ターゲットは、ソースから適切なコンテキストをフェッチし、ハンドオーバを完了する（たとえば、無線リンクを再確立する）。
【００２４】
ブロック２０８で表されるように、ブロック２０６のアクセスの試みに関連して、ターゲットは、アクセス端末の接続状態モビリティ中（たとえば、ハンドオーバ中）にＲＬＦが発生したことを判断する。ターゲットは、アクセス端末が受け入れられたか拒否されたかにかかわらず、この判断を行うことができる。たとえば、アクセス端末がターゲットにおいて受け入れられた場合、アクセス端末はターゲットにＲＬＦを通知することができる。アクセス端末がターゲットにおいて受け入れられなかった場合、ターゲットは、たとえば、アクセス端末が、ハンドオーバのために準備されなかったターゲットにおいて無線リンクを再確立しようと試みることに基づいて、ＲＬＦがあったことを推測することができる。また、いくつかの実装形態では、アクセス端末からのアクセス要求は、ＲＬＦが発生したことを示すことができる。
【００２５】
ブロック２１０で表されるように、いくつかの実装形態では、ターゲットは、ターゲットによって検出されたＲＬＦおよび／またはターゲットにおけるハンドオーバに関係する情報（たとえば、統計情報）を収集する。たとえば、ターゲットは、ＲＬＦがいつ発生したか、ＲＬＦがどのくらい頻繁に発生したか、ＲＬＦがどのアクセス端末に関連していたか、ＲＬＦがどのソースに関連していたか、ＲＬＦを生じたハンドオーバの割合、ターゲットが準備されなかったハンドオーバの割合などに関する情報を収集することができる。したがって、アクセス端末は、ブロック２０８の判断と、経時的に行われる他のＲＬＦ判断とに基づいて情報を更新することになる。
【００２６】
ブロック２１２で表されるように、ターゲットはＲＬＦを別のノードに報告する。たとえば、図３および図４に関連して以下でより詳細に説明するように、ターゲットは報告をソースに送信する（すなわち、ソースは報告メッセージの宛先である）か、またはターゲットは報告をネットワークノードに送信する。
【００２７】
ブロック２０８のＲＬＦの判断に基づく報告は、様々なタイプの情報を含むことができる。たとえば、報告は、特定のＲＬＦイベントが発生したこと（たとえば、最近のＲＬＦ）を示すことができ、報告はＲＬＦイベントの集合を含むことができ、報告は統計的ＲＬＦ情報を含むことができ、または、報告は、ＲＬＦが発生したという何らかの他のタイプの指示を含むことができる。さらに、報告は、ターゲットがハンドオーバのために準備されたかどうかの指示を含むことができる。報告はまた、ＲＬＦに関連するノードを示す情報を含むことができる。たとえば、報告は、アクセス端末の識別子、ターゲットの識別子（たとえば、再確立の試みが行われたセルの物理セル識別子）、ソースの識別子（たとえば、ＲＬＦが発生したセルの物理セル識別子）、またはこれらの識別子の任意の組合せを含むことができる。
【００２８】
ターゲットは、様々な方法でＲＬＦを報告することができる。たとえば、場合によっては、専用ＲＬＦメッセージを使用することができる。他の場合には、ＲＬＦ情報を明示的または暗黙的に別のメッセージ中に含めることができる。たとえば、ターゲットがハンドオーバのために準備されなかったので、ターゲットがコンテキストフェッチを実行する場合、ターゲットからソースへのコンテキストフェッチメッセージはＲＬＦ報告の働きをすることができる（たとえば、コンテキストフェッチは、ＲＬＦが発生したことを明示的または暗黙的に示す）。
【００２９】
また、報告を１つまたは複数のメッセージによって行うことができる。たとえば、本明細書で教示する報告に関係する情報の第１のセットを１つのメッセージによって与えることができ、報告に関係する情報の第２のセットを別のメッセージによって与えることができる。
【００３０】
ターゲットは、様々な時間にＲＬＦを報告することができる。たとえば、トリガ条件（たとえば、定義された報告トリガ）に応答して、（たとえば、報告スケジュールに基づいて）特定の時間に、または何らかの他の１つまたは複数の条件に基づいて、報告を送信することができる。特定の例として、ターゲットは、ＲＬＦイベントの検出に関連するトリガに基づいて報告を送信することができる（たとえば、ＲＬＦイベントが検出されたすぐ後に報告を送信する）。別の例として、ターゲットは、ＲＬＦ情報（たとえば、統計）を経時的に収集し、収集された情報を一緒に送信することができる。たとえば、（たとえば、定期的報告スケジュールに従って）指定された時間に、ある量の情報を収集したときに、または何らかの他の条件に基づく時間に、この収集された情報を送信することができる。
【００３１】
次に図３を参照しながら、ＲＬＦ報告を受信するソースによって実行され得る例示的な動作について説明する。ブロック３０２で表されるように、ソースは、ターゲットまたは別のノード（たとえば、ネットワークノード）から、ＲＬＦが発生したことを示すメッセージを受信する。上記で説明したように、メッセージは、ソースによって前にサービスされていたアクセス端末の接続状態モビリティ中（たとえば、ハンドオーバ中）にＲＬＦが発生したことを示すことができる。たとえば、メッセージは、特定のＲＬＦイベント、ＲＬＦイベントの集合、ＲＬＦ統計、ターゲットがハンドオーバのために準備されたかどうかなどに関する情報を含むことができる。
【００３２】
ブロック３０４で表されるように、ソースは、（たとえば、ブロック３０２において受信されたメッセージおよび他の同様のメッセージによって与えられる情報に基づいて）受信したＲＬＦ報告の記録を維持する。たとえば、ソースは、ＲＬＦがいつ発生したか、ＲＬＦがどのくらい頻繁に発生したか、ＲＬＦがどのアクセス端末に関連していたか、ＲＬＦがどのターゲットに関連していたかなどに関する情報を収集することができる。
【００３３】
ブロック３０６で表されるように、ソースは、ブロック３０２において受信されたメッセージに基づいて（たとえば、メッセージ中に含まれる情報に基づいて）、ソースにおいて維持される１つまたは複数のモビリティパラメータを適応させる。たとえば、ブロック３０２においてメッセージによって報告された単一のＲＬＦイベント、ブロック３０２においてメッセージによって報告された複数のＲＬＦイベント（および、オプションで他の同様のメッセージ）、ブロック３０２においてメッセージによって報告された統計情報（および、オプションで他の同様のメッセージ）、またはブロック３０４において維持された記録のうちの少なくとも１つに基づいて、モビリティパラメータを適応させることができる。これらのパラメータを適応させることによって、ソースは、ネットワークにおけるモビリティパフォーマンスを改善することができる。たとえば、遅すぎるハンドオーバの数、ＲＬＦの数、およびターゲットアクセスポイントが準備されないハンドオーバの数が減少するので、ハンドオーバパフォーマンスを改善することができる。
【００３４】
ソースは、様々な時間にこれらのモビリティパラメータを適応させることができる。たとえば、トリガ条件（たとえば、定義されたトリガ）に応答して、（たとえば、適応スケジュールに基づいて）特定の時間に、または何らかの他の１つまたは複数の条件に基づいてモビリティパラメータを適応させることができる。特定の例として、ＲＬＦメッセージの受信に関連するトリガに基づいてモビリティパラメータを適応させることができる（たとえば、ＲＬＦメッセージが受信されたすぐ後にモビリティパラメータを更新する）。別の例として、ソースは、経時的に収集されたＲＬＦ情報（たとえば、統計）に基づいてモビリティパラメータを更新することができる。ここで、たとえば、（たとえば、定期的適応スケジュールに従って）指定された時間に、ある量の情報を収集したときに、または何らかの他の条件に基づく時間に、モビリティパラメータを更新することができる。
【００３５】
モビリティパラメータは様々な形態をとることができる。たとえば、モビリティパラメータは、測定報告パラメータまたはモビリティパラメータを含むことができる。
【００３６】
測定報告パラメータは、たとえば、アクセス端末が、ターゲット測定を行うべきかどうかをどのように決定すべきか、アクセス端末が、ターゲット測定を報告すべきかどうかをどのように決定すべきか、または、アクセス端末が、ターゲット測定をいつ報告すべきかをどのように決定すべきかを指定することができる。特定の例として、測定報告パラメータは、１つまたは複数の報告トリガしきい値（たとえば、アクセス端末が可能性のあるターゲットから受信したパイロット信号の受信信号強度と比較する受信信号強度しきい値、またはトリガ時間（time-to-trigger）遅延値）を含むことができる。
【００３７】
ハンドオーバパラメータは、たとえば、ハンドオーバパフォーマンスターゲット（すなわちパフォーマンスターゲットからの現在の偏差）、あるいは、アクセスポイントが、ハンドオーバを実行すべきかどうかを判断するために使用するか、ハンドオーバをいつ実行すべきかを判断するために使用するか、またはターゲットアクセスポイントを判断するために使用するパラメータを備えることができる。特定の例として、ハンドオーバパラメータは、（たとえば、アクセス端末がサービングアクセスポイントおよび／または可能性のあるターゲットから受信するパイロット信号の受信信号強度と比較される）１つまたは複数の報告トリガしきい値を含むことができる。
【００３８】
図４を参照しながら、ＲＬＦ報告を受信するネットワークノード（たとえば、セルラーネットワークのＯ＆Ｍエンティティなどのネットワーク管理ノード）によって実行され得る例示的な動作について説明する。ブロック４０２で表されるように、ネットワークノードは、ターゲットから、ＲＬＦが発生したことを示すメッセージを受信する。上記で説明したように、このメッセージは、ソースによって前にサービスされていたアクセス端末の接続状態モビリティ中（たとえば、ハンドオーバ中）にＲＬＦが発生したことを示すことができる。この場合も、メッセージは、特定のＲＬＦイベント、ＲＬＦイベントの集合、ＲＬＦ統計、ターゲットがハンドオーバのために準備されたかどうかなどに関する情報を含むことができる。
【００３９】
ブロック４０４で表されるように、ネットワークノードは、（たとえば、ブロック４０２において受信されたメッセージおよび他の同様のメッセージによって与えられる情報に基づいて）受信したＲＬＦ報告の記録を維持する。ここで収集される情報は、ブロック２１０および３０４において上記で説明した情報と同様とすることができる。たとえば、ネットワークノードは、ＲＬＦがいつ発生したか、ＲＬＦがどのくらい頻繁に発生したか、ＲＬＦがどのアクセス端末に関連していたか、ＲＬＦがどのソースに関連していたか、ＲＬＦを生じたハンドオーバの割合、ターゲットが準備されなかったハンドオーバの割合などに関する情報を収集することができる。
【００４０】
ブロック４０６で表されるように、いくつかの実装形態では、ネットワークノードは、ブロック４０２におけるメッセージの受信に基づいて、１つまたは複数のアクセスポイントが使用すべき１つまたは複数のモビリティパラメータを適応させる。たとえば、ブロック４０２においてメッセージによって報告された単一のＲＬＦイベント、ブロック４０２においてメッセージによって報告された複数のＲＬＦイベント（および、オプションで、他の同様のメッセージ）、ブロック４０２においてメッセージによって報告された統計情報（および、オプションで、他の同様のメッセージ）、またはブロック４０４において維持された記録のうちの少なくとも１つに基づいて、モビリティパラメータを適応させることができる。
【００４１】
上記で説明したブロック３０６の動作と同様に、ソースは、様々な時間にこれらのモビリティパラメータを適応させることができる。たとえば、トリガ条件に応答して、特定の時間に、または何らかの他の１つまたは複数の条件に基づいてモビリティパラメータを適応させることができる。したがって、ＲＬＦメッセージの受信に関連するトリガに基づいて、または経時的に収集されるＲＬＦ情報（たとえば、統計）に基づいて、モビリティパラメータを適応させることができる。この場合も、指定された時間、ある量の情報を収集したときなどに、モビリティパラメータを更新することができる。
【００４２】
モビリティパラメータは、上記で説明したように様々な形態をとることができる。たとえば、モビリティパラメータは、測定報告パラメータまたはモビリティパラメータを含むことができる。また、ネットワークノードは、１つまたは複数のアクセスポイントによって使用されるモビリティパラメータのすべての適応を制御することができるか、またはこれらのモビリティパラメータの一部のみの適応を制御することができる。後者の場合、アクセスポイントは、そのモビリティパラメータの一部に対する制御を保持することができる。
【００４３】
ブロック４０８で表されるように、ネットワークノードは、ブロック４０２におけるメッセージの受信に基づいて（たとえば、メッセージ中に含まれる情報に基づいて）メッセージをソースに送信する。上述のように、ネットワークノードはＲＬＦ報告をソースに送信することができるか、または、ネットワークノードは、更新されたモビリティパラメータ情報をソースに送信することができる。
【００４４】
前者の場合、ネットワークノードは、ブロック４０２において受信されたメッセージ（またはそのメッセージの関連する内容）をソースに単にフォワーディングすることができる。したがって、このメッセージは、アクセス端末のハンドオーバ中に発生したＲＬＦと、メッセージによって受信された、および／またはブロック４０４において維持されるＲＬＦ情報（たとえば、特定のイベント、集合、または統計情報）と、ターゲットがハンドオーバのために準備されたかどうかとを示すことができる。
【００４５】
後者の場合、ネットワークノードは、ブロック４０６において適応された１つまたは複数のモビリティパラメータ（またはソースの現在のパラメータに対する調整）をソースに送信することができる。この場合、ソースは、ネットワークノードからこのメッセージを受信すると、そのモビリティパラメータを更新することができる。
【００４６】
ネットワークノードは、１つまたは複数のソースアクセスポイントに関係するメッセージを扱うことができることを諒解されたい。したがって、いくつかの実装形態では、ネットワークノードは、様々なソースアクセスポイントに宛てられた様々なメッセージを受信し、これらのメッセージの各々を適切なアクセスポイントにフォワーディングする。いくつかの実装形態では、ネットワークノードは、様々なアクセスポイントのための別々の記録を維持し、これらのアクセスポイントの各々のモビリティパラメータを別個に更新する。いくつかの実装形態では、ネットワークノードは、（たとえば共通モビリティパラメータを使用する）いくつかのアクセスポイントのセットのための記録を維持し、アクセスポイントのそのセットのモビリティパラメータを更新する。
【００４７】
図５に、本明細書で教示するモビリティ動作を実行するために（たとえば、アクセスポイント１０４またはアクセスポイント１０６に対応する）アクセスポイント５０２および（たとえば、ネットワークノード１１０およびアクセスポイント１０４に対応する）ネットワークノード５０４などのノードに組み込むことができる、いくつかの例示的な構成要素を示す。説明する構成要素は、通信システム中の他のノードに組み込むこともできる。たとえば、システム中の他のノードは、同様の機能を提供するために、アクセスポイント５０２とネットワークノード５０４とに関して説明する構成要素と同様の構成要素を含むことができる。所与のノードは、説明する構成要素のうちの１つまたは複数を含むことができる。たとえば、アクセスポイントは、アクセスポイントが複数の周波数上で動作し、および／または様々な技術によって通信することを可能にする、複数のトランシーバ構成要素を含むことができる。
【００４８】
図５に示すように、アクセスポイント５０２は、他のノードと通信するためのトランシーバ５０６を含む。トランシーバ５０６は、信号（たとえば、パイロットおよびメッセージ）を送信するための送信機５０８と、信号（たとえば、接続要求および他のメッセージ）を受信するための受信機５１０とを含む。
【００４９】
アクセスポイント５０２およびネットワークノード５０４はまた、それぞれ、互いにまたは他のネットワークノードと通信するためのネットワークインタフェース５１２および５１４を含む。たとえば、ネットワークインタフェース５１２および５１４は、ワイヤードまたはワイヤレスバックホールを介して１つまたは複数のネットワークノードと通信するように構成できる。
【００５０】
アクセスポイント５０２およびネットワークノード５０４は、本明細書で教示するモビリティ動作と連携して使用できる他の構成要素をも含む。たとえば、アクセスポイント５０２およびネットワークノード５０４は、それぞれ、他のノードとの通信を管理する（たとえば、ＲＬＦメッセージ、モビリティパラメータ、および他のメッセージまたは指示を送信および受信する）ための、および本明細書で教示する他の関連する機能を与えるための通信コントローラ５１６および５１８を含むことができる。さらに、アクセスポイント５０２は、モビリティ関連動作を管理する（たとえば、ＲＬＦが発生したことを判断し、統計を収集し、モビリティパラメータを適応させ、ＲＬＦ記録を維持する）ための、および本明細書で教示する他の関連する機能を与えるための（たとえば、いくつかの態様では、図１のブロック１１２および／またはブロック１１４の機能に対応する）モビリティコントローラ５２０を含むことができる。同様に、ネットワークノード５０４は、モビリティ関連動作を管理する（たとえば、ＲＬＦメッセージの受信に基づいてメッセージを送信し、統計を維持し、モビリティパラメータを適応させる）ための、および本明細書で教示する他の関連する機能を与えるための（たとえば、いくつかの態様では、図１のブロック１１８の機能に対応する）モビリティコントローラ５２２を含むことができる。
【００５１】
図５に示す所与の構成要素は、本明細書で説明する複数の構成要素の機能を含むことができる。たとえば、アクセスポイント５０２のための図示の構成要素は、ＲＬＦを報告するための機能（たとえば、アクセスポイント１０６について上記で説明した機能）および／またはモビリティパラメータを適応させるための機能（たとえば、アクセスポイント１０４について上記で説明した機能）を与えることができる。
【００５２】
また、図５の構成要素は、（たとえば、データメモリを使用し、および／または組み込む）１つまたは複数のプロセッサ中に実装できる。たとえば、ブロック５１２、５１６、および５２０の機能はアクセスポイント中の１つまたは複数のプロセッサによって実装でき、ブロック５１４、５１８、および５２２の機能はネットワークノード中の１つまたは複数のプロセッサによって実装できる。
【００５３】
本明細書の教示は、複数のワイヤレスアクセス端末のための通信を同時にサポートするワイヤレス多元接続通信システムにおいて採用できる。ここで、各端末は、順方向リンクおよび逆方向リンク上の送信を介して１つまたは複数のアクセスポイントと通信することができる。順方向リンク（すなわち、ダウンリンク）は、アクセスポイントから端末への通信リンクを指し、逆方向リンク（すなわち、アップリンク）は、端末からアクセスポイントへの通信リンクを指す。この通信リンクは、単入力単出力システム、多入力多出力（ＭＩＭＯ）システム、または何らかの他のタイプのシステムを介して確立できる。
【００５４】
ＭＩＭＯシステムは、データ伝送のための複数（ＮT）個の送信アンテナおよび複数（ＮR）個の受信アンテナを採用する。ＮT個の送信アンテナとＮR個の受信アンテナとによって形成されるＭＩＭＯチャネルは、空間チャネルとも呼ばれるＮS個の独立チャネルに分解でき、ＮS≦ｍｉｎ｛ＮT，ＮR｝である。ＮS個の独立チャネルの各々は１つの次元に対応する。複数の送信アンテナおよび受信アンテナによって生成された追加の次元数が利用された場合、ＭＩＭＯシステムは改善されたパフォーマンス（たとえば、より高いスループットおよび／またはより大きい信頼性）を与えることができる。
【００５５】
ＭＩＭＯシステムは時分割複信（ＴＤＤ）および周波数分割複信（ＦＤＤ）をサポートすることができる。ＴＤＤシステムでは、順方向および逆方向リンク送信が同一周波数領域上で行われるので、相反定理による逆方向リンクチャネルからの順方向リンクチャネルの推定が可能である。これにより、複数のアンテナがアクセスポイントで利用可能なとき、アクセスポイントは順方向リンク上で送信ビームフォーミング利得を抽出することが可能になる。
【００５６】
図６に、例示的なＭＩＭＯシステム６００のワイヤレスデバイス６１０（たとえば、アクセスポイント）およびワイヤレスデバイス６５０（たとえば、アクセス端末）を示す。デバイス６１０では、いくつかのデータストリームのトラフィックデータが、データソース６１２から送信（ＴＸ）データプロセッサ６１４に供給される。各データストリームは、次いで、それぞれの送信アンテナを介して送信できる。
【００５７】
ＴＸデータプロセッサ６１４は、符号化データを与えるために、そのデータストリーム用に選択された特定の符号化方式に基づいて、データストリームごとにトラフィックデータをフォーマッティングし、符号化し、インタリーブする。各データストリームの符号化データは、ＯＦＤＭ技法を使用してパイロットデータで多重化できる。パイロットデータは、典型的には、知られている方法で処理され、チャネル応答を推定するために受信機システムにおいて使用できる知られているデータパターンである。次いで、各データストリームの多重化されたパイロットデータおよび符号化データは、変調シンボルを与えるために、そのデータストリーム用に選択された特定の変調方式（たとえば、ＢＰＳＫ、ＱＳＰＫ、Ｍ−ＰＳＫ、またはＭ−ＱＡＭ）に基づいて変調（すなわち、シンボルマッピング）される。各データストリームのデータレート、符号化、および変調は、プロセッサ６３０によって実行される命令によって決定できる。データメモリ６３２は、プロセッサ６３０またはデバイス６１０の他の構成要素によって使用されるプログラムコード、データ、および他の情報を記憶することができる。
【００５８】
次いで、すべてのデータストリームの変調シンボルがＴＸ  ＭＩＭＯプロセッサ６２０に供給され、ＴＸ  ＭＩＭＯプロセッサ６２０はさらに（たとえば、ＯＦＤＭ用に）その変調シンボルを処理することができる。次いで、ＴＸ  ＭＩＭＯプロセッサ６２０は、ＮT個の変調シンボルストリームをＮT個のトランシーバ（ＸＣＶＲ）６２２Ａ〜６２２Ｔに供給する。いくつかの態様では、ＴＸ  ＭＩＭＯプロセッサ６２０は、データストリームのシンボルと、シンボルの送信元のアンテナとにビームフォーミング重みを付加する。
【００５９】
各トランシーバ６２２は、それぞれのシンボルストリームを受信し、処理して、１つまたは複数のアナログ信号を与え、さらに、それらのアナログ信号を調整（たとえば、増幅、フィルタ処理、およびアップコンバート）して、ＭＩＭＯチャネルを介して送信するのに適した変調信号を与える。次いで、トランシーバ６２２Ａ〜６２２ＴからのＮT個の変調信号は、それぞれ、ＮT個のアンテナ６２４Ａ〜６２４Ｔから送信される。
【００６０】
デバイス６５０では、送信された変調信号はＮR個のアンテナ６５２Ａ〜６５２Ｒによって受信され、各アンテナ６５２からの受信信号は、それぞれのトランシーバ（ＸＣＶＲ）６５４Ａ〜６５４Ｒに供給される。各トランシーバ６５４は、それぞれの受信信号を調整（たとえば、フィルタ処理、増幅、およびダウンコンバート）し、調整された信号をデジタル化して、サンプルを与え、さらにそれらのサンプルを処理して、対応する「受信」シンボルストリームを与える。
【００６１】
次いで、受信（ＲＸ）データプロセッサ６６０は、特定の受信機処理技法に基づいてＮR個のトランシーバ６５４からＮR個の受信シンボルストリームを受信し、処理して、ＮT個の「検出」シンボルストリームを与える。次いで、ＲＸデータプロセッサ６６０は、各検出シンボルストリームを復調し、デインタリーブし、復号して、データストリームに対するトラフィックデータを復元する。ＲＸデータプロセッサ６６０による処理は、デバイス６１０におけるＴＸ  ＭＩＭＯプロセッサ６２０およびＴＸデータプロセッサ６１４によって実行される処理を補足するものである。
【００６２】
プロセッサ６７０は、どのプリコーディング行列を使用すべきかを周期的に判断する（後述）。プロセッサ６７０は、行列インデックス部とランク値部とを含む逆方向リンクメッセージを作成する。データメモリ６７２は、プロセッサ６７０またはデバイス６５０の他の構成要素によって使用されるプログラムコード、データ、および他の情報を記憶することができる。
【００６３】
逆方向リンクメッセージは、通信リンクおよび／または受信データストリームに関する様々なタイプの情報を含むことができる。次いで、逆方向リンクメッセージは、データソース６３６からいくつかのデータストリームのトラフィックデータをも受信するＴＸデータプロセッサ６３８によって処理され、変調器６８０によって変調され、トランシーバ６５４Ａ〜６５４Ｒによって調整され、デバイス６１０に戻される。
【００６４】
デバイス６１０では、デバイス６５０からの変調信号は、アンテナ６２４によって受信され、トランシーバ６２２によって調整され、復調器（ＤＥＭＯＤ）６４０によって復調され、ＲＸデータプロセッサ６４２によって処理されて、デバイス６５０によって送信された逆方向リンクメッセージが抽出される。次いで、プロセッサ６３０は、ビームフォーミング重みを決定するためにどのプリコーディング行列を使用すべきかを決定し、次いで、抽出されたメッセージを処理する。
【００６５】
図６はまた、通信構成要素が、本明細書で教示するモビリティ動作を実行する１つまたは複数の構成要素を含むことができることを示す。たとえば、モビリティ制御構成要素６９０は、デバイス６１０のプロセッサ６３０および／または他の構成要素と協働して、本明細書で教示する別のデバイス（たとえば、デバイス６５０）との間で信号を送信／受信することができる。各デバイス６１０および６５０について、説明する構成要素の２つ以上の機能が単一の構成要素によって提供できることを諒解されたい。たとえば、単一の処理構成要素がモビリティ制御構成要素６９０およびプロセッサ６３０の機能を提供することができる。いくつかの実装形態では、プロセッサ６３０およびメモリ６３２は、デバイス６１０について本明細書で教示するモビリティ関連機能および他の機能を集合的に提供することができる。
【００６６】
本明細書の教示は、様々なタイプの通信システムおよび／またはシステム構成要素に組み込むことができる。いくつかの態様では、本明細書の教示は、利用可能なシステムリソースを共有することによって（たとえば、帯域幅、送信電力、符号化、インタリーブなどのうちの１つまたは複数を指定することによって）、複数のユーザとの通信をサポートすることが可能な多元接続システムにおいて採用できる。たとえば、本明細書の教示は、符号分割多元接続（ＣＤＭＡ）システム、多重キャリアＣＤＭＡ（ＭＣＣＤＭＡ）、広帯域ＣＤＭＡ（Ｗ−ＣＤＭＡ）、高速パケットアクセス（ＨＳＰＡ、ＨＳＰＡ＋）システム、時間分割多元接続（ＴＤＭＡ）システム、周波数分割多元接続（ＦＤＭＡ）システム、シングルキャリアＦＤＭＡ（ＳＣ−ＦＤＭＡ）システム、直交周波数分割多元接続（ＯＦＤＭＡ）システム、または他の多元接続技法の技術のいずれか１つまたは組合せに適用できる。本明細書の教示を採用するワイヤレス通信システムは、ＩＳ−９５、ｃｄｍａ２０００、ＩＳ−８５６、Ｗ−ＣＤＭＡ、ＴＤＳＣＤＭＡ、および他の規格など、１つまたは複数の規格を実装するように設計できる。ＣＤＭＡネットワークは、Ｕｎｉｖｅｒｓａｌ  Ｔｅｒｒｅｓｔｒｉａｌ  Ｒａｄｉｏ  Ａｃｃｅｓｓ（ＵＴＲＡ）、ｃｄｍａ２０００、または何らかの他の技術などの無線技術を実装することができる。ＵＴＲＡは、Ｗ−ＣＤＭＡおよび低チップレート（ＬＣＲ）を含む。ｃｄｍａ２０００技術は、ＩＳ−２０００、ＩＳ−９５およびＩＳ−８５６規格をカバーする。ＴＤＭＡネットワークは、Ｇｌｏｂａｌ  Ｓｙｓｔｅｍ  ｆｏｒ  Ｍｏｂｉｌｅ  Ｃｏｍｍｕｎｉｃａｔｉｏｎｓ（ＧＳＭ（登録商標））などの無線技術を実装することができる。ＯＦＤＭＡネットワークは、Ｅｖｏｌｖｅｄ  ＵＴＲＡ（Ｅ−ＵＴＲＡ）、ＩＥＥＥ８０２．１１、ＩＥＥＥ８０２．１６、ＩＥＥＥ８０２．２０、Ｆｌａｓｈ−ＯＦＤＭ（登録商標）などの無線技術を実装することができる。ＵＴＲＡ、Ｅ−ＵＴＲＡ、およびＧＳＭは、Ｕｎｉｖｅｒｓａｌ  Ｍｏｂｉｌｅ  Ｔｅｌｅｃｏｍｍｕｎｉｃａｔｉｏｎ  Ｓｙｓｔｅｍ（ＵＭＴＳ）の一部である。本明細書の教示は、３ＧＰＰ  Ｌｏｎｇ  Ｔｅｒｍ  Ｅｖｏｌｕｔｉｏｎ（ＬＴＥ）システム、Ｕｌｔｒａ  Ｍｏｂｉｌｅ  Ｂｒｏａｄｂａｎｄ（ＵＭＢ）システム、および他のタイプのシステムで実装できる。ＬＴＥは、Ｅ−ＵＴＲＡを使用するＵＭＴＳのリリースである。ＵＴＲＡ、Ｅ−ＵＴＲＡ、ＧＳＭ、ＵＭＴＳおよびＬＴＥは、「３ｒｄ  Ｇｅｎｅｒａｔｉｏｎ  Ｐａｒｔｎｅｒｓｈｉｐ  Ｐｒｏｊｅｃｔ」（３ＧＰＰ）と呼ばれる組織からの文書に記載されており、ｃｄｍａ２０００は、「３ｒｄ  Ｇｅｎｅｒａｔｉｏｎ  Ｐａｒｔｎｅｒｓｈｉｐ  Ｐｒｏｊｅｃｔ  ２」（３ＧＰＰ２）と呼ばれる組織からの文書に記載されている。本開示のいくつかの態様については、３ＧＰＰ用語を使用して説明するが、本明細書の教示は、３ＧＰＰ（たとえば、Ｒｅｌ９９、Ｒｅｌ５、Ｒｅｌ６、Ｒｅｌ７）技術、ならびに３ＧＰＰ２（たとえば、１ｘＲＴＴ、１ｘＥＶ−ＤＯ  ＲｅｌＯ、ＲｅｖＡ、ＲｅｖＢ）技術および他の技術に適用できることを理解されたい。
【００６７】
本明細書の教示は、様々な装置（たとえば、ノード）に組み込む（たとえば、装置内に実装する、または装置によって実行する）ことができる。いくつかの態様では、本明細書の教示に従って実装されるノード（たとえば、ワイヤレスノード）はアクセスポイントまたはアクセス端末を備えることができる。
【００６８】
たとえば、アクセス端末は、ユーザ機器、加入者局、加入者ユニット、移動局、モバイル、モバイルノード、リモート局、リモート端末、ユーザ端末、ユーザエージェント、ユーザデバイス、または何らかの他の用語を備えるか、それらのいずれかとして実装されるか、あるいはそれらのいずれかとして知られる。いくつかの実装形態では、アクセス端末は、セルラー電話、コードレス電話、セッション開始プロトコル（ＳＩＰ）電話、ワイヤレスローカルループ（ＷＬＬ）局、携帯情報端末（ＰＤＡ）、ワイヤレス接続能力を有するハンドヘルドデバイス、またはワイヤレスモデムに接続された何らかの他の好適な処理デバイスを備えることができる。したがって、本明細書で教示する１つまたは複数の態様は、電話（たとえば、セルラー電話またはスマートフォン）、コンピュータ（たとえば、ラップトップ）、ポータブル通信デバイス、ポータブルコンピューティングデバイス（たとえば、個人情報端末）、エンターテインメントデバイス（たとえば、音楽デバイス、ビデオデバイス、または衛星ラジオ）、全地球測位システムデバイス、あるいはワイヤレス媒体を介して通信するように構成された他の好適なデバイスに組み込むことができる。
【００６９】
アクセスポイントは、ノードＢ、ｅノードＢ、無線ネットワークコントローラ（ＲＮＣ）、基地局（ＢＳ）、無線基地局（ＲＢＳ）、基地局コントローラ（ＢＳＣ）、送受信基地局（ＢＴＳ）、トランシーバ機能（ＴＦ）、無線トランシーバ、無線ルータ、基本サービスセット（ＢＳＳ）、拡張サービスセット（ＥＳＳ）、マクロセル、マクロノード、ホームｅＮＢ（ＨｅＮＢ）、フェムトセル、フェムトノード、ピコノード、または何らかの他の同様の用語を備えるか、それらのいずれかとして実装されるか、あるいはそれらのいずれかとして知られる。
【００７０】
いくつかの態様では、ノード（たとえば、アクセスポイント）は、通信システムのためのアクセスノードを備えることができる。そのようなアクセスノードは、たとえば、ネットワークへのワイヤードまたはワイヤレス通信リンクを介した、ネットワーク（たとえば、インターネットまたはセルラーネットワークなどワイドエリアネットワーク）のための、またはネットワークへの接続性を与えることができる。したがって、アクセスノードは、別のノード（たとえば、アクセス端末）がネットワークまたは何らかの他の機能にアクセスできるようにすることができる。さらに、一方または両方のノードはポータブルでも、場合によっては比較的非ポータブルでもよいことを諒解されたい。
【００７１】
また、ワイヤレスノードは、非ワイヤレス方式で（たとえば、ワイヤード接続を介して）情報を送信および／または受信することができることを諒解されたい。したがって、本明細書で説明する受信機および送信機は、非ワイヤレス媒体を介して通信するために適切な通信インタフェース構成要素（たとえば、電気的または光学的インタフェース構成要素）を含むことができる。
【００７２】
ワイヤレスノードは、好適なワイヤレス通信技術に基づくあるいはサポートする１つまたは複数のワイヤレス通信リンクを介して通信することができる。たとえば、いくつかの態様では、ワイヤレスノードはネットワークに関連付けることができる。いくつかの態様では、ネットワークはローカルエリアネットワークまたはワイドエリアネットワークを備えることができる。ワイヤレスデバイスは、本明細書で説明する様々なワイヤレス通信技術、プロトコル、または規格（たとえば、ＣＤＭＡ、ＴＤＭＡ、ＯＦＤＭ、ＯＦＤＭＡ、ＷｉＭＡＸ、Ｗｉ−Ｆｉなど）のうちの１つまたは複数をサポートまたは使用することができる。同様に、ワイヤレスノードは、様々な対応する変調方式または多重化方式のうちの１つまたは複数をサポートまたは使用することができる。したがって、ワイヤレスノードは、上記または他のワイヤレス通信技術を使用して１つまたは複数のワイヤレス通信リンクを確立し、それを介して通信するために適切な構成要素（たとえば、エアインタフェース）を含むことができる。たとえば、ワイヤレスノードは、ワイヤレス媒体上の通信を可能にする様々な構成要素（たとえば、信号発生器および信号プロセッサ）を含むことができる関連する送信機構成要素および受信機構成要素をもつワイヤレストランシーバを備えることができる。
【００７３】
（たとえば、添付の図の１つまたは複数に関して）本明細書で説明した機能は、いくつかの態様では、添付の特許請求の範囲において同様に指定された「手段」機能に対応することがある。図７〜図９を参照すると、装置７００、８００、および９００が、一連の相互に関連する機能モジュールとして表されている。ここで、ＲＬＦ判断モジュール７０２および統計情報収集モジュール７０６は、少なくともいくつかの態様では、たとえば、本明細書で説明するモビリティコントローラ（たとえば、コントローラ５２０）に対応することがある。ＲＬＦ報告モジュール７０４は、少なくともいくつかの態様では、たとえば、本明細書で説明する通信コントローラ（たとえば、コントローラ５１６）に対応することがある。ＲＬＦメッセージ受信モジュール８０２は、少なくともいくつかの態様では、たとえば、本明細書で説明する通信コントローラ（たとえば、コントローラ５１６）に対応することがある。モビリティパラメータ適応モジュール８０４およびＲＬＦ記録維持モジュール８０６は、少なくともいくつかの態様では、たとえば、本明細書で説明するモビリティコントローラ（たとえば、コントローラ５２０）に対応することがある。ＲＬＦメッセージ受信モジュール９０２は、少なくともいくつかの態様では、たとえば、本明細書で説明する通信コントローラ（たとえば、コントローラ５１８）に対応することがある。メッセージ送信モジュール９０４、統計情報維持モジュール９０６、およびモビリティパラメータ適応モジュール９０８は、少なくともいくつかの態様では、たとえば、本明細書で説明するモビリティコントローラ（たとえば、コントローラ５２２）に対応することがある。
【００７４】
図７〜図９のモジュールの機能は、本明細書の教示に合致する様々な方法で実装できる。いくつかの態様では、これらのモジュールの機能は、１つまたは複数の電気構成要素として実装できる。いくつかの態様では、これらのブロックの機能は、１つまたは複数のプロセッサ構成要素を含む処理システムとして実装できる。いくつかの態様では、これらのモジュールの機能は、たとえば、１つまたは複数の集積回路（たとえば、ＡＳＩＣ）の少なくとも一部分を使用して実装できる。本明細書で説明するように、集積回路は、プロセッサ、ソフトウェア、他の関連する構成要素、またはそれらの何らかの組合せを含むことができる。これらのモジュールの機能は、本明細書で教示する方法とは別の何らかの方法で実装することもできる。いくつかの態様では、図７〜図９中の破線ブロックのうちの１つまたは複数はオプションである。
【００７５】
本明細書における「第１」、「第２」などの名称を使用した要素への言及は、それらの要素の数量または順序を概括的に限定するものでないことを理解されたい。むしろ、これらの名称は、本明細書において２つ以上の要素またはある要素の複数の例を区別する便利な方法として使用できる。したがって、第１および第２の要素への言及は、そこで２つの要素のみが使用できること、または第１の要素が何らかの方法で第２の要素に先行しなければならないことを意味するものではない。また、別段の規定がない限り、要素のセットは１つまたは複数の要素を備えることがある。さらに、明細書または特許請求の範囲において使用される「Ａ、Ｂ、またはＣのうちの少なくとも１つ」という形式の用語は、「ＡまたはＢまたはＣ、あるいはこれらの要素の任意の組合せ」を意味する。
【００７６】
情報および信号は多種多様な技術および技法のいずれかを使用して表すことができることを、当業者は理解されよう。たとえば、上記の説明全体にわたって言及されるデータ、命令、コマンド、情報、信号、ビット、シンボル、およびチップは、電圧、電流、電磁波、磁界または磁性粒子、光場または光学粒子、あるいはそれらの任意の組合せによって表すことができる。
【００７７】
さらに、本明細書で開示した態様に関して説明した様々な例示的な論理ブロック、モジュール、プロセッサ、手段、回路、およびアルゴリズムステップのいずれかは、電子ハードウェア（たとえば、ソースコーディングまたは何らかの他の技法を使用して設計できる、デジタル実装形態、アナログ実装形態、またはそれら２つの組合せ）、命令を組み込んだ様々な形態のプログラムまたは設計コード（便宜上、本明細書では「ソフトウェア」または「ソフトウェアモジュール」と呼ぶことがある）、あるいは両方の組合せとして実装できることを当業者は諒解されよう。ハードウェアとソフトウェアのこの互換性を明確に示すために、様々な例示的な構成要素、ブロック、モジュール、回路、およびステップを、上記では概してそれらの機能に関して説明した。そのような機能をハードウェアとして実装するか、ソフトウェアとして実装するかは、特定の適用例および全体的なシステムに課せられた設計制約に依存する。当業者は、説明した機能を特定の適用例ごとに様々な方法で実装することができるが、そのような実装の決定は、本開示の範囲からの逸脱を生じるものと解釈すべきではない。
【００７８】
本明細書で開示した態様に関して説明した様々な例示的な論理ブロック、モジュール、および回路は、集積回路（ＩＣ）、アクセス端末、またはアクセスポイント内に実装できるか、またはそれらによって実行できる。ＩＣは、汎用プロセッサ、デジタル信号プロセッサ（ＤＳＰ）、特定用途向け集積回路（ＡＳＩＣ）、フィールドプログラマブルゲートアレイ（ＦＰＧＡ）または他のプログラマブル論理デバイス、個別ゲートまたはトランジスタ論理、個別ハードウェア構成要素、電気構成要素、光学的構成要素、機械的構成要素、あるいは本明細書で説明した機能を実行するように設計されたそれらの任意の組合せを備えることができ、ＩＣの内部に、ＩＣの外側に、またはその両方に常駐するコードまたは命令を実行することができる。汎用プロセッサはマイクロプロセッサとすることができるが、代替として、プロセッサは、任意の従来のプロセッサ、コントローラ、マイクロコントローラ、または状態機械とすることができる。プロセッサは、コンピューティングデバイスの組合せ、たとえば、ＤＳＰとマイクロプロセッサとの組合せ、複数のマイクロプロセッサ、ＤＳＰコアと連携する１つまたは複数のマイクロプロセッサ、あるいは任意の他のそのような構成として実装することもできる。
【００７９】
開示したプロセス中のステップの特定の順序または階層は例示的な手法の一例であることを理解されたい。設計上の選好に基づいて、プロセス中のステップの特定の順序または階層は本開示の範囲内のまま再構成できることを理解されたい。添付の方法クレームは、様々なステップの要素を例示的な順序で提示したものであり、提示された特定の順序または階層に限定されるものではない。
【００８０】
１つまたは複数の例示的な実施形態では、説明した機能はハードウェア、ソフトウェア、ファームウェア、またはそれらの任意の組合せで実装できる。ソフトウェアで実装する場合、機能は、１つまたは複数の命令またはコードとしてコンピュータ可読媒体上に記憶するか、あるいはコンピュータ可読媒体を介して送信することができる。コンピュータ可読媒体は、ある場所から別の場所へのコンピュータプログラムの転送を可能にする任意の媒体を含む、コンピュータ記憶媒体と通信媒体の両方を含む。記憶媒体は、コンピュータによってアクセスできる任意の利用可能な媒体とすることができる。限定ではなく、例として、そのようなコンピュータ可読媒体は、ＲＡＭ、ＲＯＭ、ＥＥＰＲＯＭ、ＣＤ−ＲＯＭまたは他の光ディスクストレージ、磁気ディスクストレージまたは他の磁気ストレージデバイス、あるいは命令またはデータ構造の形態の所望のプログラムコードを担持または記憶するために使用でき、コンピュータによってアクセスできる、任意の他の媒体を備えることができる。また、いかなる接続もコンピュータ可読媒体と適切に呼ばれる。たとえば、ソフトウェアが、同軸ケーブル、光ファイバケーブル、ツイストペア、デジタル加入者回線（ＤＳＬ）、または赤外線、無線、およびマイクロ波などのワイヤレス技術を使用して、ウェブサイト、サーバ、または他のリモートソースから送信される場合、同軸ケーブル、光ファイバケーブル、ツイストペア、ＤＳＬ、または赤外線、無線、およびマイクロ波などのワイヤレス技術は、媒体の定義に含まれる。本明細書で使用するディスク（disk）およびディスク（disc）は、コンパクトディスク（disc）（ＣＤ）、レーザディスク（disc）、光ディスク（disc）、デジタル多用途ディスク（disc）（ＤＶＤ）、フロッピー（登録商標）ディスク（disk）およびブルーレイディスク（disc）を含み、ディスク（disk）は、通常、データを磁気的に再生し、ディスク（disc）は、データをレーザで光学的に再生する。上記の組合せもコンピュータ可読媒体の範囲内に含めるべきである。コンピュータ可読媒体は任意の好適なコンピュータプログラム製品に実装できることを諒解されたい。
【００８１】
開示した態様の前述の説明は、当業者が本開示を製作または使用できるように提供したものである。これらの態様への様々な変更は当業者には容易に明らかになり、本明細書で定義された一般原理は本開示の範囲を逸脱することなく他の態様に適用できる。したがって、本開示は、本明細書で示した態様に限定されるものではなく、本明細書で開示した原理および新規の特徴に一致する最も広い範囲を与えられるべきである。
以下に本件出願当初の特許請求の範囲を付記する。
［Ｃ１］
アクセスポイントにおいて、少なくとも１つのアクセス端末のハンドオーバ中に無線リンク障害が発生したことを示すメッセージを受信することと、
前記受信されたメッセージに基づき少なくとも１つのモビリティパラメータを適応させることと、
を含む、通信の方法。
［Ｃ２］
前記メッセージは、前記ハンドオーバについてのターゲットアクセスポイントから受信される、Ｃ１の方法。
［Ｃ３］
前記メッセージは、ネットワーク管理ノードから受信される、Ｃ１の方法。
［Ｃ４］
前記ネットワーク管理ノードは、セルラーネットワークの運用及び保守エンティティを備える、Ｃ３の方法。
［Ｃ５］
前記無線リンク障害と他の無線リンク障害の記録を維持することをさらに含み、
前記少なくとも１つのモビリティパラメータの適応は、前記記録に基づく、
Ｃ１の方法。
［Ｃ６］
前記メッセージは、少なくとも１つの他のアクセスポイントにおけるハンドオーバに関する統計情報を含み、
前記少なくとも１つのモビリティパラメータの適応は前記統計情報に基づく、
Ｃ１の方法。
［Ｃ７］
前記メッセージは、前記ハンドオーバのためのターゲットアクセスポイントが前記ハンドオーバのために準備されたかどうかを示す、Ｃ１の方法。
［Ｃ８］
前記メッセージは、前記ハンドオーバのために準備されなかったターゲットアクセスポイントからのコンテキストフェッチを含む、Ｃ１の方法。
［Ｃ９］
前記少なくとも１つのモビリティパラメータは、ターゲット測定を行うかどうか、ターゲット測定を報告するかどうか、及びターゲット測定をいつ報告するかからなるグループのうちの少なくとも１つを、アクセス端末がどのように決定すべきかを指定する測定報告パラメータを含む、Ｃ１の方法。
［Ｃ１０］
前記少なくとも１つのモビリティパラメータは、ハンドオーバを行うかどうか、ハンドオーバをいつ行うか、およびターゲットアクセスポイントからなるグループのうちの少なくとも１つを決定するために、前記アクセスポイントが使用するハンドオーバパラメータを含む、Ｃ１の方法。
［Ｃ１１］
アクセスポイントにおいて、少なくとも１つのアクセス端末のハンドオーバ中に無線リンク障害が発生したことを示すメッセージを受信するように構成された通信コントローラと、
前記受信されたメッセージに基づき少なくとも１つのモビリティパラメータを適応させるように構成されたモビリティコントローラと、
を備える、通信のための装置。
［Ｃ１２］
前記メッセージは、前記ハンドオーバについてのターゲットアクセスポイントから受信される、Ｃ１１の装置。
［Ｃ１３］
前記メッセージは、ネットワーク管理ノードから受信される、Ｃ１１の装置。
［Ｃ１４］
前記モビリティコントローラは、前記無線リンク障害と他の無線リンク障害の記録を維持するようにさらに構成され、
前記少なくとも１つのモビリティパラメータの適応は、前記記録に基づく、
Ｃ１１の装置。
［Ｃ１５］
前記メッセージは、少なくとも１つの他のアクセスポイントにおけるハンドオーバに関する統計情報を含み、
前記少なくとも１つのモビリティパラメータの適応は前記統計情報に基づく、
Ｃ１１の装置。
［Ｃ１６］
アクセスポイントにおいて、少なくとも１つのアクセス端末のハンドオーバ中に無線リンク障害が発生したことを示すメッセージを受信する手段と、
前記受信されたメッセージに基づき少なくとも１つのモビリティパラメータを適応させる手段と、
を備える通信のための装置。
［Ｃ１７］
前記メッセージは、前記ハンドオーバについてのターゲットアクセスポイントから受信される、Ｃ１６の装置。
［Ｃ１８］
前記メッセージは、ネットワーク管理ノードから受信される、Ｃ１６の装置。
［Ｃ１９］
前記無線リンク障害と他の無線リンク障害の記録を維持する手段をさらに備え、
前記少なくとも１つのモビリティパラメータの適応は前記記録に基づく、
Ｃ１６の装置。
［Ｃ２０］
前記メッセージは、少なくとも１つの他のアクセスポイントにおけるハンドオーバに関する統計情報を含み、
前記少なくとも１つのモビリティパラメータの適応は前記統計情報に基づく、
Ｃ１６の装置。
［Ｃ２１］
コンピュータに、
アクセスポイントにおいて、少なくとも１つのアクセス端末のハンドオーバ中に無線リンク障害が発生したことを示すメッセージを受信させ、
前記受信されたメッセージに基づき少なくとも１つのモビリティパラメータを適応させる、
コードを備えるコンピュータ可読媒体を含むコンピュータプログラム製品。
［Ｃ２２］
前記メッセージは、前記ハンドオーバについてのターゲットアクセスポイントから受信される、Ｃ２１のコンピュータプログラム製品。
［Ｃ２３］
前記メッセージは、ネットワーク管理ノードから受信される、Ｃ２１のコンピュータプログラム製品。
［Ｃ２４］
前記コンピュータ可読媒体は、さらに、前記コンピュータに、前記無線リンク障害と他の無線リンク障害の記録を維持させるコードを備え、
前記少なくとも１つのモビリティパラメータの適応は前記記録に基づく、
Ｃ２１のコンピュータプログラム製品。
［Ｃ２５］
前記メッセージは、少なくとも１つの他のアクセスポイントにおけるハンドオーバに関する統計情報を含み、
前記少なくとも１つのモビリティパラメータの適応は前記統計情報に基づく、
Ｃ２１のコンピュータプログラム製品。
［Ｃ２６］
第１のアクセスポイントから、少なくとも１つのアクセス端末の前記第１のアクセスポイントへのハンドオーバ中に無線リンク障害が発生したことを示す第１のメッセージを受信することと、
前記第１のアクセスポイントからの前記第１のメッセージの受信に基づき、第２のアクセスポイントへ第２のメッセージを送信することと、
を含む、通信の方法。
［Ｃ２７］
前記第２のメッセージは、前記少なくとも１つのアクセス端末の前記第１のアクセスポイントへの前記ハンドオーバ中に前記無線リンク障害が発生したことを示す、Ｃ２６の方法。
［Ｃ２８］
前記無線リンク障害と他の無線リンク障害とに関する統計情報を維持することをさらに含み、
前記第２のメッセージは前記統計情報を含む、
Ｃ２６の方法。
［Ｃ２９］
前記第１のメッセージに基づき少なくとも１つのモビリティパラメータを適応させること、をさらに含み、
前記第２のメッセージは、前記少なくとも１つのモビリティパラメータを含む、
Ｃ２６の方法。
［Ｃ３０］
前記少なくとも１つのモビリティパラメータは、ターゲット測定を行うかどうか、ターゲット測定を報告するかどうか、及びターゲット測定をいつ報告するかからなるグループのうちの少なくとも１つを、アクセス端末がどのように決定すべきかを指定する測定報告パラメータを含む、Ｃ２９の方法。
［Ｃ３１］
前記少なくとも１つのモビリティパラメータは、ハンドオーバを行うかどうか、ハンドオーバをいつ行うか、およびターゲットアクセスポイントからなるグループのうちの少なくとも１つを決定するために、前記第２のアクセスポイントが使用するハンドオーバパラメータを含む、Ｃ２９の方法。
［Ｃ３２］
前記少なくとも１つのモビリティパラメータは、前記第２のアクセスポイントについてのハンドオーバパフォーマンスターゲットを含む、Ｃ２９の方法。
［Ｃ３３］
前記第１のメッセージは、前記第１のアクセスポイントが前記ハンドオーバのために準備されたかどうかを示す、Ｃ２６の方法。
［Ｃ３４］
前記第１のメッセージは、前記第１のアクセスポイントにおけるハンドオーバに関する統計情報を含む、Ｃ２６の方法。
［Ｃ３５］
前記統計情報に基づき少なくとも1つのモビリティパラメ−タを適応させること、をさらに含み、
前記第２のメッセージは前記少なくとも１つのモビリティパラメータを含む、
Ｃ３４の方法。
［Ｃ３６］
第１のアクセスポイントから、少なくとも１つのアクセス端末の前記第１のアクセスポイントへのハンドオーバ中に無線リンク障害が発生したことを示す第１のメッセージを受信する通信コントローラと、
前記第１のアクセスポイントからの前記第１のメッセージの受信に基づき、第２のアクセスポイントへ第２のメッセージを送信するモビィティコントローラと、
を備える、通信のための装置。
［Ｃ３７］
前記第２のメッセージは、前記少なくとも１つのアクセス端末の前記第１のアクセスポイントへの前記ハンドオーバ中に前記無線リンク障害が発生したことを示す、Ｃ３６の装置。
［Ｃ３８］
前記モビィティコントローラは、さらに、前記無線リンク障害と他の無線リンク障害に関する統計情報を維持し、
前記第２のメッセージは、前記統計情報を含む、
Ｃ３６の装置。
［Ｃ３９］
前記モビィティコントローラは、さらに、前記第１のメッセージに基づき、少なくとも１つのモビリティパラメータを適応させ、
前記第２のメッセージは、前記少なくとも１つのモビリティパラメータを含む、
Ｃ３６の装置。
［Ｃ４０］
第１のアクセスポイントから、少なくとも１つのアクセス端末の前記第１のアクセスポイントへのハンドオーバ中に無線リンク障害が発生したことを示す第１のメッセージを受信する手段と、
前記第１のアクセスポイントからの前記第１のメッセージの受信に基づき、第２のアクセスポイントへ第２のメッセージを送信する手段と、
を備える、通信のための装置。
［Ｃ４１］
前記第２のメッセージは、前記少なくとも１つのアクセス端末の前記第１のアクセスポイントへの前記ハンドオーバ中に前記無線リンク障害が発生したことを示す、Ｃ４０の装置。
［Ｃ４２］
前記無線リンク障害と他の無線リンク障害とに関する統計情報を維持する手段をさらに備え、
前記第２のメッセージは前記統計情報を含む、
Ｃ４０の装置。
［Ｃ４３］
前記第１のメッセージに基づき少なくとも１つのモビリティパラメータを適応させる手段をさらに含み、
前記第２のメッセージは、前記少なくとも１つのモビリティパラメータを含む、
Ｃ４０の装置。
［Ｃ４４］
コンピュータに、
少なくとも１つのアクセス端末の第１のアクセスポイントへのハンドオーバ中に無線リンク障害が発生したことを示す、第１のアクセスポイントからの第１のメッセージを受信させ、
前記第１のアクセスポイントからの前記第１のメッセージの受信に基づき、第２のアクセスポイントへ第２のメッセージを送信させる、
コードを備えるコンピュータ可読媒体を含むコンピュータプログラム製品。
［Ｃ４５］
前記第２のメッセージは、前記少なくとも１つのアクセス端末の前記第１のアクセスポイントへの前記ハンドオーバ中に前記無線リンク障害が発生したことを示す、Ｃ４４のコンピュータプログラム製品。
［Ｃ４６］
前記コンピュータ可読媒体は、さらに、前記コンピュータに、前記無線リンク障害と他の無線リンク障害とに関する統計情報を維持させるコードを備え、
前記第２のメッセージは前記統計情報を含む、
Ｃ４４のコンピュータプログラム製品。
［Ｃ４７］
前記コンピュータ可読媒体は、さらに、前記コンピュータに、前記第１のメッセージに基づき少なくとも１つのモビリティパラメータを適応させるコードを備え、
前記第２のメッセージは、前記少なくとも１つのモビリティパラメータを含む、
Ｃ４４のコンピュータプログラム製品。
【図１】
0005497056.tif 000002
【図２】
0005497056.tif 000003
【図３】
0005497056.tif 000004
【図４】
0005497056.tif 000005
【図５】
0005497056.tif 000006
【図６】
0005497056.tif 000007
【図７】
0005497056.tif 000008
【図８】
0005497056.tif 000009
【図９】
0005497056.tif 000010